(57)【要約】【課題】光軸間距離の異なる顕微鏡の本体部に選択的に取り付け可能な鏡筒および中間鏡筒を提供すること。【解決手段】実体顕微鏡の対物レンズから平行に射出される試料像の光軸間距離がそれぞれ異なる複数の実体顕微鏡に選択的に用いられる鏡筒であって、鏡筒は観察光学系の左右のそれぞれ独立した光路が平行に設けられ、左右の光路の光軸間距離を平行のまま変更する光軸間距離変更機構を備えていることを特徴とする鏡筒。【選択図】図２
2010160342.tif 000002
【特許請求の範囲】
【請求項１】
実体顕微鏡の対物レンズに入射し射出される試料像が入射する左右一対の光学系の光軸間距離がそれぞれ異なる複数の実体顕微鏡に選択的に装着可能であって、
左右のそれぞれ独立した観察光学系が平行に設けられ、前記左右の観察光学系の光軸間距離を平行のまま変更する光軸間距離変更機構を備えていることを特徴とする鏡筒。
【請求項２】
前記光軸間距離変更機構は、前記左の観察光学系が設けられた左の筒状部材と前記右の観察光学系が設けられた右の筒状部材とが、前記左右の観察光学系が相互に離間或いは接近する方向にそれぞれ移動する機構を有することを特徴とする請求項１に記載の鏡筒。
【請求項３】
前記左右の筒状部材は、前記鏡筒の筐体の内部を移動することを特徴とする請求項２に記載の鏡筒。
【請求項４】
前記左右の筒状部材は、相互に対向する面に形成された連結部で連結されており、前記連結部を中心に回動することを特徴とする請求項２に記載の鏡筒。
【請求項５】
前記左右の筒状部材は、クランプネジを用いたクランプ機構により移動後の位置に固定されることを特徴とする請求項２から４の何れか一項に記載の鏡筒。
【請求項６】
前記クランプネジは、前記左右の筒状部材に対してそれぞれ１つ以上が係合し、前記クランプ機構は前記左右の光軸間に設けられていることを特徴とする請求項５に記載の鏡筒。
【発明の詳細な説明】
【技術分野】
【０００１】
本発明は平行系実体顕微鏡の鏡筒および中間鏡筒に関する。
【背景技術】
【０００２】
左右の光学系が平行となっている平行系実体顕微鏡では、要求される開口数ＮＡ、製品のクラス（価格帯）等により、最適な光軸間距離が設定されている。例えば、高価格帯の製品では、高ＮＡを実現するため径の大きなレンズを用いることから光軸間距離は大きくとり、低〜中価格帯の製品では、コンパクトにすることやコスト上の制約により高価格帯のものよりもＮＡが小さめに設定される。このとき、平行系実体顕微鏡に組み合わせられる各種付属品、例えば鏡筒、中間鏡筒等は、本体部の左右の光軸間距離に合致したものであることが必要である（例えば特許文献１の図１および図２を参照）。従って、本体部の左右の光軸間距離が異なる製品が存在する場合は、それに使用する付属品も本体部の左右の光軸間距離に合わせて複数系列製品化していた。
【先行技術文献】
【特許文献】
【０００３】
【特許文献１】特開２００７−６５６５１号公報
【発明の概要】
【発明が解決しようとする課題】
【０００４】
このため、左右の光軸間距離が異なる顕微鏡に対しては、基本的な構成がほとんど同じながら、光軸間距離がそれぞれ異なる付属品を複数用意する必要があった。そして、光軸間距離が異なるもの同士では本体への取り付け互換性がないので、複数の機種を使用するユーザにとって不便であること、メーカーにとっては供給する製品の種類が増えるという問題がある。
【０００５】
本発明はこのような問題に鑑みてなされたものであり、光軸間距離の異なる顕微鏡の本体に選択的に取り付け可能な鏡筒および中間鏡筒を提供することを課題とする。
【課題を解決するための手段】
【０００６】
上記課題を解決するため、本発明に係る鏡筒は、実体顕微鏡の対物レンズに入射し射出される試料像が入射する左右一対の光学系の光軸間距離がそれぞれ異なる複数の実体顕微鏡に選択的に装着可能であって、左右のそれぞれ独立した観察光学系が平行に設けられ、前記左右の観察光学系の光軸間距離を平行のまま変更する光軸間距離変更機構を備えていることを特徴とする。
【発明の効果】
【０００７】
本発明によれば、光軸間距離の異なる顕微鏡の本体に選択的に取り付け可能な鏡筒を提供することができる。
【図面の簡単な説明】
【０００８】
【図１】第１実施形態に係る鏡筒と、この鏡筒を取り付けた顕微鏡の全体の構成を示す模式図である。
【図２】第１実施形態に係る鏡筒であり、（ａ）はこの鏡筒を取り付けた光軸間距離がＤｓ１の顕微鏡１の構成を示す模式図、（ｂ）はこの鏡筒を取り付けた光軸間距離がＤｓ２の顕微鏡２の構成を示す模式図である。
【図３】第１実施例に係る鏡筒であり、光軸間距離を短くした状態を示し、（ａ）は正面から見た（ｂ）のＡ−Ａ´線に沿った断面図、（ｂ）は下方すなわち本体部側から見た図、（ｃ）は側面から見た（ｂ）のＢ−Ｂ´線に沿った断面図である。
【図４】第１実施例に係る鏡筒であり、光軸間距離を長くした状態を示し、（ａ）は正面から見た（ｂ）のＡ−Ａ´線に沿った断面図、（ｂ）は本体部側から見た図である。
【図５】第２実施例に係る鏡筒であり、光軸間距離を短くした状態を示し、（ａ）は正面から見た（ｃ）のＡ−Ａ´線に沿った断面図、（ｂ）は本体部側から見た図、（ｃ）は上方から見た図、（ｄ）は光軸間距離がＤｓ１である本体部の鏡筒取り付け部を上方から見た図である。
【図６】第２実施例に係る鏡筒であり、光軸間距離を長くした状態を示し、（ａ）は正面から見た（ｃ）のＡ−Ａ´線に沿った断面図、（ｂ）は本体部側から見た図、（ｃ）は上方から見た図、（ｄ）は光軸間距離がＤｓ２である本体部の鏡筒取り付け部を上方から見た図である。
【図７】第３実施例に係る鏡筒であり、（ａ）は光軸間距離が最も短い状態を示し、（ｂ）は光軸間距離を長くした状態を示している。
【図８】第２実施形態に係る中間鏡筒であり、（ａ）はこの中間鏡筒を取り付けた光軸間距離がＤｓ１の顕微鏡の構成を示す模式図、（ｂ）はこの中間鏡筒を取り付けた光軸間距離がＤｓ２の顕微鏡の構成を示す模式図である。
【発明を実施するための形態】
【０００９】
以下、本発明の実施形態について図面を参照しつつ説明する。
【００１０】
（第１実施形態）
図１は本発明の第１実施形態に係る鏡筒と、この鏡筒を取り付けた平行系実体顕微鏡の全体の構成を示す模式図である。
【００１１】
平行系実体顕微鏡（以後、顕微鏡と略記する。）１０の観察光学系は、試料１５側から順に左右共通の対物レンズ３、左右のズーム光学系５Ｌ、５Ｒ、および鏡筒１に左右の第２対物レンズ７Ｌ、７Ｒ、左右の接眼レンズ９Ｌ、９Ｒが配置された各レンズ群で構成されている。第２対物レンズ７Ｌ、７Ｒは、左右の像面１３Ｌ、１３Ｒにそれぞれ試料像を結像させるためのものである。以後、対物レンズ３とズーム光学系５Ｌ、５Ｒおよびこれらを備えた顕微鏡の構成部分を本体部１０ａという。なお、図１では観察光学系に直接関係しない他の構成要素、例えばベース部等は図示を省略してある。
【００１２】
顕微鏡１０は、試料１５を立体視するために目に入る左右の光路が独立して設けられ、その左右の光路の光軸ＩＬ、ＩＲは、試料１５上で交わるようになっている。
【００１３】
図１中、Ｄｓは顕微鏡１０の本体部１０ａにおける左光軸ＩＬと右光軸ＩＲとの光軸間距離である。また、Ｄｔは鏡筒１における左光軸ＩＬと右光軸ＩＲとの光軸間距離である。これら本体部１０ａと鏡筒１とを組み合わせて使用するためには２つの光軸間距離ＤｓとＤｔとは、Ｄｔ＝Ｄｓである必要がある。
【００１４】
図２（ａ）および図２（ｂ）を参照して、第１実施形態に係る鏡筒１を光軸間距離がＤｓ１の本体部１０ａの顕微鏡１０と、光軸間距離がＤｓ２の本体部２０ａの顕微鏡２０とに選択的に使用する場合について説明する。
【００１５】
図２（ａ）は本体部１０ａの光軸間距離がＤｓ１の顕微鏡１０であり、これに使用する鏡筒１の左右の光軸間距離Ｄｔ１は、Ｄｔ１＝Ｄｓ１にする必要がある。
【００１６】
図２（ｂ）は本体部２０ａの左右の光軸間距離がＤｓ２の顕微鏡２０である。顕微鏡２０は対物レンズ１０３およびズーム光学系１０５Ｌ、１０５Ｒの径が図２（ａ）の顕微鏡１０の対物レンズ３およびズーム光学系５Ｌ、５Ｒよりも大きい。よって、顕微鏡２０は顕微鏡１０より開口数が大きい。このため、顕微鏡２０の本体部２０ａの光軸間距離Ｄｓ２は、顕微鏡１０の本体部１０ａの光軸間距離Ｄｓ１よりも大きく設定されている。この本体部２０ａに使用する鏡筒１の光軸間距離Ｄｔ２は、Ｄｔ２＝Ｄｓ２にする必要がある。本実施形態の鏡筒１は、図２（ａ）および（ｂ）に示すように、光軸間距離ＤｔをＤｔ１或いはＤｔ２に変更する後述する光軸間距離変更機構１７を組み込むことで共用することを可能にしている。
【００１７】
図２（ａ）に示すように、鏡筒１を本体部１０ａの光軸間距離がＤｓ１の顕微鏡１０に取り付ける時は、鏡筒１の光軸間距離がＤｔ１になるように光軸間距離変更機構１７を調節して使用する。一方、この鏡筒１を、図２（ｂ）に示すように、光軸間距離変更機構１７を調節して光軸間距離をＤｔ２とすることで、本体部２０ａの光軸間距離がＤｓ２の顕微鏡２０に使用することができる。
【００１８】
光軸間距離変更機構１７は、後述する実施例で詳細に説明するように、左右の光軸ＩＬ、ＩＲを平行に維持したまま光軸間距離を変更可能にする機構である。また、光軸間距離変更後は本体部１０ａの光軸間距離Ｄｓに合わせた位置で固定できる後述するロック機構を有している。
【００１９】
次に、このような光軸間距離変更機構１７を備えた鏡筒の実施例について説明する。
【００２０】
（第１実施例）
図３は第１実施例に係る鏡筒であり、左右の光軸間距離を短くした状態を示し、（ａ）は正面から見た（ｂ）のＡ−Ａ´線に沿った断面図、（ｂ）は下方すなわち本体部側から見た図、（ｃ）は側面から見た（ｂ）のＢ−Ｂ´線に沿った断面図である。
【００２１】
図４は第１実施例に係る鏡筒であり、左右の光軸間距離を長くした状態を示し、（ａ）は正面から見た（ｂ）のＡ−Ａ´線に沿った断面図、（ｂ）は下方すなわち本体部側から見た図である。
【００２２】
図３、図４において、第１実施例に係る鏡筒１１は、顕微鏡の本体部１０ａ（図１参照）の上部と係合して本体部１０ａに取り付けられる筐体１９と、筐体１９の内側に左右の光路にそれぞれ並んで保持された左側筒部２１Ｌおよび右側筒部２１Ｒを備えている。これら筒部２１Ｌ、２１Ｒの下端部には、左右の第２対物レンズ７Ｌ、７Ｒが保持部材２３Ｌ、２３Ｒを介してそれぞれ取り付けられている。筐体１９の下板１９ｂには、顕微鏡本体部１０ａのズーム光学系５Ｌ、５Ｒからの光が通過する孔２５が設けられており、孔２５の内側に左右の第２対物レンズ７Ｌ、７Ｒが位置している。
【００２３】
また、これら筒部２１Ｌ、２１Ｒの上端には突出した円筒部２７Ｌ、２７Ｒがそれぞれ設けられている。円筒部２７Ｌ、２７Ｒには上方から左右の接眼レンズ９Ｌ、９Ｒが保持部材２９Ｌ、２９Ｒを介して取り付けられている。筐体１９の上板１９ａには円筒部２７Ｌ、２７Ｒの径よりも大きな径の孔３１Ｌ、３１Ｒが設けられ、円筒部２７Ｌ、２７Ｒは孔３１Ｌ、３１Ｒをそれぞれ貫通して、上板１９ａよりも上方に突出している。筒部２１Ｌ、２１Ｒの内部には、それぞれミラー又はプリズム３３Ｌ、３３Ｒが設けられていて、第２対物レンズ７Ｌ、７Ｒ側から入った光は該ミラー又はプリズム３３Ｌ、３３Ｒによって屈折されて像面１３Ｌ、１３Ｒおよび接眼レンズ９Ｌ、９Ｒに到達する。
【００２４】
図３（ａ）に示すように、筒部２１Ｌ、２１Ｒは筐体１９内部をそれぞれ左右方向に所定量移動可能となっている。左右の筒部２１Ｌ、２１Ｒが互いに最も接近した状態は、それぞれの筒部２１Ｌ、２１Ｒの対向する側の面同士が筐体１９の左右方向の中心線上で接触した状態である（図３（ａ）参照）。このとき左右の第２対物レンズ７Ｌ、７Ｒ同士も最も接近した状態となり、光軸間距離も最も短い。なお、この状態の鏡筒１１の光軸間距離をＤｔ１とする（図２（ａ）参照）。
【００２５】
図３（ａ）〜（ｃ）に示すように、筐体１９の上板１９ａの内側には、筒部２１Ｌの上面２１Ｌａが係合する溝部３５が図３（ｃ）の紙面垂直方向に延在して形成されている。溝部３５は筐体１９の左右方向（図３（ａ）の紙面左右方向）に亘って延在して形成されているので、筒部２１Ｒの上面２１Ｒａも溝部３５に係合している。筐体１９の下板１９ｂにも上板１９ａの溝部３５と対向する位置に、上板１９ａの溝部３５と略対称な溝部３７が形成されている。筒部２１Ｌ、２１Ｒは、上面２１Ｌａ、２１Ｒａが筐体１９の上板１９ａの溝部３５に係合し、下面２１Ｌｂ、２１Ｒｂが筐体１９の下板１９ｂの溝部３７に係合し、これらの溝部３５、３７により、筒部２１Ｌ、２１Ｒは前後方向の移動が規制され、左右方向の移動が可能となっている。また、これらの溝部３５、３７は筒部２１Ｌ、２１Ｒの左右方向への移動のガイドとして機能する。
【００２６】
図３（ａ）に示すように、筐体１９の上板１９ａに設けられた２つの孔３１Ｌ、３１Ｒの間にはクランプ機構３８が設けられている。一対のクランプネジ３９Ｌ、３９Ｒが筐体１９の上板１９ａで左右の光軸ＩＬ、ＩＲを結ぶ直線上に設けられ、これら一対のクランプネジ３９Ｌ、３９Ｒは筐体１９の上板１９ａを貫通してそれぞれ筒部２１Ｌ、２１Ｒの上面２１Ｌａ、２１Ｒａにねじ込んである。筐体１９の上板１９ａには、図３（ａ）で孔３１Ｌ、３１Ｒの間での左右方向に近在してクランプネジ３９Ｌ、３９Ｒが貫通する長孔４１が形成されている。長孔４１は、筒部２１Ｌ、２１Ｒの左右方向の移動可能量に対応した長さを有している。一対のクランプネジ３９Ｌ、３９Ｒと長孔４１とでクランプ機構３８が構成されている。クランプネジ３９Ｌ、３９Ｒを緩めることで筒部２１Ｌ、２１Ｒの左右方向の移動を可能にし、締め付けることで筒部２１Ｌ、２１Ｒを筐体１９に対して固定している。
【００２７】
このように、筐体１９と、左右の筒部２１Ｌ、２１Ｒと、筐体１９の溝部３５、３７と、クランプ機構３８とで鏡筒１１の光軸間距離変更機構が構成されている。
【００２８】
図３（ｂ）に示すように、筐体１９の下板１９ｂには、下側すなわち顕微鏡の本体部１０ａ側に突出する円形の凸部４３が設けられている。凸部４３は２つの光軸ＩＬ、ＩＲ間の中間点を中心として形成され、外径は筐体１９の前後の幅とほぼ同一である。凸部４３の内周側には、凸部４３と同心の丸アリ４５が設けられている。丸アリ４５の外縁は凸部４３の外径よりもやや小さく形成されている。筐体１９下板１９ｂの孔２５は、丸アリ４５の内周側に形成されている。鏡筒１１は、丸アリ４５が本体部１０ａ側の上部に設けられたアリ溝（図示省略）と係合して本体部１０ａに取り付けられる。すなわち鏡筒１１の本体部１０ａに対する位置決めおよび固定がなされる。
【００２９】
このような構成の鏡筒１１を、例えば本体部の光軸間距離がＤｓ２（Ｄｓ２＞Ｄｔ１）である顕微鏡（図２（ｂ）参照）に取り付ける場合について図４を参照しつつ説明する。
【００３０】
鏡筒１１の光軸間距離がＤｔ１（図４（ａ）参照）に設定されている状態から、鏡筒１１を光軸間距離がＤｓ２の本体部２０ａ（図２（ｂ）参照）に取り付ける際、本体部２０ａへの取り付け固定は丸アリ４５と本体部のアリ溝（図示省略）との係合によって行われる。その後一対のクランプネジ３９Ｌ、３９Ｒを緩める。すると左右の筒部２１Ｌ、２１Ｒは筐体１９との係合を解かれ、左右方向に移動が可能となる。操作者は接眼レンズ９Ｌ、９Ｒの保持部材２９Ｌ、２９Ｒ或いは円筒部２７Ｌ、２７Ｒを持って左右の筒部２１Ｌ、２１Ｒをそれぞれ左右方向に移動させる。このとき筐体１９内側の溝部３５、３７は左右の筒部２１Ｌ、２１Ｒをガイドする。図４（ａ）および図４（ｂ）に示すように、鏡筒１１の光軸間距離をＤｔ２（Ｄｔ２＝Ｄｓ２）に設定し、一対のクランプネジ３９Ｌ、３９Ｒを締め付ける。こうして鏡筒１１の光軸間距離はＤｔ１からＤａ1だけ広がり、本体部２０ａの光軸間距離がＤｓ２である顕微鏡２０に使用可能となる。
【００３１】
なお、鏡筒１１は、光軸間距離をＤｔ２＝Ｄｓ２に調節してから本体部２０ａの光軸間距離がＤｓ２である顕微鏡２０に取り付けても良い。
【００３２】
（第２実施例）
次に第２実施例について説明する。
【００３３】
図５は第２実施例に係る鏡筒であり、光軸間距離を短くした状態を示し、（ａ）は正面から見た（ｃ）のＡ−Ａ´線に沿った断面図、（ｂ）は下方すなわち本体部側から見た図、（ｃ）は上方から見た図である。
【００３４】
図６は第２実施例に係る鏡筒であり、光軸間距離を長くした状態を示し、（ａ）は正面から見た（ｃ）のＡ−Ａ´線に沿った断面図、（ｂ）は下方すなわち本体部側から見た図、（ｃ）は上方から見た図である。
【００３５】
第２実施例に係る鏡筒１１１は、図５（ａ）、（ｂ）、（ｃ）に示すように、左の光路が設けられた略四角柱状の筒部１２１Ｌと、右の光路が設けられた略四角柱状の筒部１２１Ｒとが左右に並んで配置された構成となっている。第２実施例では、第１実施例の筐体１９に相当する部材は用いていない。これら筒部１２１Ｌ、１２１Ｒの下端部には、左右の第２対物レンズ７Ｌ、７Ｒが保持部材２３Ｌ、２３Ｒを介してそれぞれ取り付けられている。
【００３６】
また筒部１２１Ｌ、１２１Ｒの上端には、上方に突出した円筒部２７Ｌ、２７Ｒがそれぞれ設けられている。これら円筒部２７Ｌ、２７Ｒには上方から左右の接眼レンズ９Ｌ、９Ｒが保持部材２９Ｌ、２９Ｒを介して取り付けられている。筒部１２１Ｌ、１２１Ｒの内部には、それぞれミラー又はプリズム３３Ｌ、３３Ｒが設けられていて、第２対物レンズ側７Ｌ、７Ｒから入った光は該ミラー又はプリズム３３Ｌ、３３Ｒによって屈折されて像面１３Ｌ、１３Ｒおよび接眼レンズ９Ｌ、９Ｒに到達する。
【００３７】
筒部１２１Ｌ、１２１Ｒは、それぞれ左右方向に所定量移動可能となっている。左右の筒部１２１Ｌ、１２１Ｒが互いに最も接近した状態は、それぞれの筒部１２１Ｌ、１２１Ｒの対向する側の面同士が接触した状態である。このとき左右の第２対物レンズ７Ｌ、７Ｒ同士も最も接近した状態となり、左右の光軸間距離が最も短い。なお、この状態の鏡筒１１１の光軸間距離をＤｔ１とする（図２（ａ）参照）。
【００３８】
また、図５（ｃ）に示すように、各筒部１２１Ｌ、１２１Ｒの上面１２１Ｌａ、１２１Ｒａには、互いに対向している側にそれぞれクランプネジ６３Ｌ、６３Ｒが設けられている。クランプネジ６３Ｌ、６３Ｒは、左右の光軸ＩＬ、ＩＲ間で、光軸ＩＬ、ＩＲを結ぶ直線上に設けられている。双方のクランプネジ６３Ｌ、６３Ｒの軸部は、左右方向の長孔を有するワッシャ６５によって連結されている。それぞれのクランプネジ６３Ｌ、６３Ｒは長孔ワッシャ６５を貫いて各筒部１２１Ｌ、１２１Ｒの上面１２１Ｌａ、１２１Ｒａにねじ込まれている。クランプネジ６３Ｌ、６３Ｒと長孔ワッシャ６５とでクランプ機構６６を構成している。左右の筒部１２１Ｌ、１２１Ｒはこれらクランプネジ６３Ｌ、６３Ｒと長孔ワッシャ６５とによって連結されている。これらクランプネジ６３Ｌ、６３Ｒを緩めると左右の筒部１２１Ｌ、１２１Ｒを左右方向に移動して光軸間距離を調節でき、調節後はクランプネジ６３Ｌ、６３Ｒを締め付けることで調節した位置に左右の筒部１２１Ｌ、１２１Ｒを固定できる。
【００３９】
このように、左右の筒部１２１Ｌ、１２１Ｒと、クランプ機構６６とで鏡筒１１１の光軸間距離変更機構が構成されている。
【００４０】
左の筒部１２１Ｌの下面１２１Ｌｂには、顕微鏡１０の本体部１０ａ側に突出する部分円形の凸部１４３Ｌが設けられている。凸部１４３Ｌは左の光軸ＩＬを中心として形成され、外径は筒部１２１Ｌの前後の幅とほぼ同一である。凸部１４３Ｌは、本体部１０ａ側から見て、下面１２１Ｌｂの右の筒部１２１Ｒ側の辺によって円形の右側の一部（約１／３）が欠けている部分円形状に形成されている。凸部１４３Ｌの内径側には、凸部１４３Ｌと同心の部分円形の丸アリ１４５Ｌが設けられている。丸アリ１４５Ｌの外縁は凸部１４３Ｌの外径よりもやや小さく形成されている。丸アリ１４５Ｌは、凸部１４３Ｌと同様に、本体部１０ａ側から見て、下面１２１Ｌｂの右の筒部１２１Ｒ側の辺によって円形の右側の一部（約１／５）が欠けている部分円形状に形成されている。丸アリ１４５Ｌの内径側には第２対物レンズ７Ｌの保持部材２３Ｌが取り付けられる孔１２５Ｌが形成されている。
【００４１】
右の筒部１２１Ｒの下面１２１Ｒｂには、左の筒部１２１Ｌの下面１２１Ｌｂに形成された凸部１４３Ｌおよび丸アリ１４５Ｌと対称の形状をなす凸部１４３Ｒおよび丸アリ１４５Ｒが形成されている。このような構成なので、左右の筒部１２１Ｌ、１２１Ｒが最も接近した状態すなわち互いの対向する側の面が接触した状態で鏡筒１１１を本体部１０ａ側から見ると、左右の凸部１４３Ｌ、１４３Ｒは対向して略８字状の形状をなし、その内側に左右の丸アリ１４５Ｌ、１４５Ｒが対向して略８字状の形状をなしている（図５（ｂ）参照）。
【００４２】
図５（ｄ）は、光軸間距離がＤｓ１である本体部１０ａ（図２（ａ）参照）側に設けられている鏡筒の取り付け部４９を上方から見た図である。
【００４３】
鏡筒の取り付け部４９は、本体部１０ａの上面に形成されている。本体部１０ａの上面には左右方向に長径を有する略長円形で下方へ凹んだ凹部５１が形成されている。凹部５１の外縁の大きさは、丸アリ１４５Ｌ、１４５Ｒの外縁よりも少し大きく形成されている。詳述すると、凹部５１の左右側の対向する小円部の円弧は、丸アリ１４５Ｌ、１４５Ｒの外縁を構成する円弧よりも径が大きく形成されている。凹部５１には左右の筒部１２１Ｌ、１２１Ｒの丸アリ１４５Ｌ、丸アリ１４５Ｒが係合する。凹部５１の底面の中央部には、本体部１０ａに備えられた左右のズーム光学系５Ｌ、５Ｒそれぞれからの光が通る孔５３Ｌ、５３Ｒが２つ並んで設けられている。凹部５１の外縁の形状は、左右側の対向する小円部がそれぞれ光軸ＩＬ、ＩＲを中心とする略半円形に形成され、これら略半円形の円弧の対向する端部同士間、すなわち顕微鏡の前後方向に対向する外縁の部分には、それぞれ内径側に向かって突出する突出部５５、５５が形成されている。突出部５５、５５の位置は鏡筒１１１の左右の丸アリ１４５Ｌ、１４５Ｒが対向している部分（図５（ｂ）参照）に対応している。詳述すると、左右の丸アリ１４５Ｌ、１４５Ｒが対向し、それぞれの丸アリ１４５Ｌ、１４５Ｒを形成している部分円形の円弧の端部同士が接する部分近傍である。突出部５５、５５の下側にはアリ溝５７、５７が形成されており、アリ溝５７、５７の形状は、左右の丸アリ１４５Ｌ、１４５Ｒが接する部分近傍の形状に対応している。
【００４４】
本体部１０ａの左右の側面の上部には、それぞれ凹部５１に連通する左右方向のネジ孔５９Ｌ、５９Ｒが設けられている。ネジ孔５９Ｌ、５９Ｒは２つの光軸ＩＬ、ＩＲを結んだ線の延長上に設けられ、本体部１０ａの外側からそれぞれクランプネジ６１Ｌ、６１Ｒが挿入されている。クランプネジ６１Ｌ、６１Ｒの先端はネジ穴を５９Ｌ、５９Ｒ通過し、さらに内径側まで達している。クランプネジ６１Ｌ、６１Ｒの先端は円錐形状になっており、円錐の傾斜は丸アリ１４５Ｌ、１４５Ｒの傾斜に対応している。左右のクランプネジ６１Ｌ、６１Ｒを締め付けることでクランプネジ６１Ｌ、６１Ｒの先端部がそれぞれ左右の筒部１２１Ｌ、１２１Ｒの丸アリ１４５Ｌ、１４５Ｒに係合し、左右の丸アリ１４５Ｌ、１４５Ｒを本体部１０ａに固定することができる。
【００４５】
図５および図６を参照して、このような構成の鏡筒１１１を例えば本体部２０ａの光軸間距離がＤｓ２（Ｄｓ２＞Ｄｔ１）である顕微鏡２０（図２（ｂ）参照）に取り付ける場合について説明する。
【００４６】
図６（ｄ）は、光軸間距離がＤｓ２である本体部２０ａ側に設けられている鏡筒１１１の取り付け部１６７を上方から見た図である。取り付け部１６７の構成は、本体部１０ａの鏡筒取り付け部４９（図５（ｄ）参照）と略同様の構成である。
【００４７】
本体部１０ａの光軸間距離がＤｓ１の顕微鏡１０に、鏡筒の光軸間距離がＤｔ１（Ｄｔ１＝Ｄｓ１）に設定された鏡筒１１１が取り付けられている状態（図６（ａ）参照）から、本体部１０ａのクランプネジ６１Ｌ、６１Ｒを緩め、鏡筒１１１を本体部１０ａから取り外す。取り外した鏡筒１１１の左右の筒部１２１Ｌ、１２１Ｒの上面１２１Ｌａ、１２１Ｒａのクランプネジ６３Ｌ、６３Ｒを緩め、左右の筒部１２１Ｌ、１２１Ｒをそれぞれ左右方向に移動して鏡筒１１１の光軸間距離をＤｔ２（Ｄｔ２＝Ｄｓ２）にほぼ一致するように調節する。次に、鏡筒１１１を光軸間距離がＤｓ２の本体部２０ａの鏡筒取り付け部１６７に設置する。具体的には、凹部１５１に左右の筒部１２１Ｌ、１２１Ｒの丸アリ１４５Ｌ、１４５Ｒをはめ込む。そして鏡筒１１１の光軸間距離Ｄｔ２がＤｓ２に正確に一致するように調節する。鏡筒１１１の光軸間距離をＤｔ２に調節したら、筒部１２１Ｌ、１２１Ｒの上面１２１Ｌａ、１２１Ｒａのクランプネジ６３Ｌ、６３Ｒを締め付けて左右の筒部１２１Ｌ、１２１Ｒを固定し、さらに本体部２０ａのクランプネジ１６１Ｌ、１６１Ｒを締め付けて鏡筒１１１を本体部２０ａに固定する。こうして鏡筒１１１の光軸間距離はＤｔ１からＤａ2だけ広がってＤｓ２と同じ距離となり、本体部５０ａの光軸間距離がＤｓ２である顕微鏡に使用可能となる。
【００４８】
なお、鏡筒１１１の光軸間距離をＤｔ２＝Ｄｓ２に調節した後は、本体部２０ａのクランプネジ１６１Ｌ、１６１Ｒを締め付けて鏡筒１１１を本体部２０ａに固定し、その後に筒部１２１Ｌ、１２１Ｒの上面１２１Ｌａ、１２１Ｒａのクランプネジ１６３Ｌ、１６３Ｒを締め付けても良い。
【００４９】
（第３実施例）
次に第３実施例について説明する。第３実施例は第２実施例の変形である。
【００５０】
図７（ａ）は第３実施例係る鏡筒であり、光軸間距離が最も短い状態を上方から見た図であり、（ｂ）は光軸間距離を長くした状態を上方から見た図である。
【００５１】
第３実施例に係る鏡筒２１１は、第２実施例と同様に、左右の光路がそれぞれ設けられた略四角柱状の筒部２２１Ｌ、２２１Ｒが左右に並んで配置された構成となっている。左右の筒部２２１Ｌ、２２１Ｒの互いに対向する面の一部には、それぞれ連結部が一体的に設けられている。具体的には、本実施例では筒部２２１Ｌ、２２１Ｒの形状は略四角柱なので、対向する面の上下方向の辺の一方側に連結部が設けられている。連結部２２３Ｌ、２２３Ｒは上下方向に延在する円筒状に形成されている。左の筒部２２１Ｌの連結部２２３Ｌと右の筒部２２１Ｒの連結部２２３Ｒとは、軸方向に重なって配置され、重なった連結部２２３Ｌ、２２３Ｒの内部には中心軸部材２２５が挿通されている。このような構成なので、左右の筒部２２１Ｌ、２２１Ｒの連結部２２３Ｌ、２２３Ｒと中心軸部材２２５とはヒンジ部２２７を形成し、中心軸部材２２５を中心にそれぞれ回動可能となっている。筒部２２１Ｌ、２２１Ｒが回動することにより左右の光軸間の距離を変更し、調節することができる。例えば光軸間距離を長くしたい場合は、図７（ｂ）に示すように、左右の筒部２２１Ｌ、２２１Ｒが略カタカナのハの字状となるようにヒンジ部２２７の中心軸部材２２５を中心に回動させる。
【００５２】
このように、左右の筒部２２１Ｌ、２２１Ｒと、ヒンジ部２２７とで鏡筒２１１の光軸間距離変更機構が構成されている。
【００５３】
また、図示はしていないが、筒部２２１Ｌ、２２１Ｒの上面で光軸ＩＬ、ＩＲ間に、第２実施例と同様のクランプ機構を設けてもよい。この場合、クランプ機構も鏡筒２１１の光軸間距離変更機構を構成する。
【００５４】
左右の筒部２２１Ｌ、２２１Ｒの下面は、それぞれ第２実施例と同様の丸アリが形成されている（図６（ｂ）参照）。また、本体部（図示省略）の鏡筒取り付け部も第２実施例と同様である（図５（ｄ）および図６（ｄ）参照）。従って、第３実施例に係る鏡筒２１１の光軸間距離が図７（ａ）の状態で例えばＤｔ１だとすると、これを図６（ｄ）に示す本体部２０ａ（光軸間距離はＤｓ２）に取り付ける場合は、左右の筒部２２１Ｌ、２２１Ｒをヒンジ部２２７の中心軸部材２２５を中心に回動させ、鏡筒２１１の光軸間距離をＤｔ２＝Ｄｓ２に合わせ、本体部２０ａへの取り付け固定は本体部２０ａのクランプネジ１６１Ｌ、１６１Ｒを締め付けて筒部２２１Ｌ、２２１Ｒの丸アリに係合させて行う。
【００５５】
なお、このとき、鏡筒２１１の左右の光軸ＩＬ、ＩＲは左右の筒部２２１Ｌ、２２１Ｒの回動に伴い、ヒンジ部２２７の中心軸部材２２５を中心に円弧を描いて移動する。このため、中心軸部材２２５と鏡筒２１１の光軸ＩＬ、ＩＲを結ぶ直線との距離は、光軸間距離の変更前と変更後とで変わっている。本実施形態によれば、このような構成の鏡筒２１１であっても、本体部２０ａに取り付けることが可能である。本体部２０ａに形成された凹部１５１の外縁の左右方向に対向する小円部の円弧は、丸アリ１４５Ｌ、１４５Ｒの外縁を構成する円弧よりも径が大きく形成されている。つまり、凹部１５１は、丸アリ１４５Ｌ、１４５Ｒがその内側を所定量移動できる余裕を持って形成されている。したがって、光軸間距離を変更した後の鏡筒２１１の光軸ＩＬ、ＩＲを、本体部２０ａの光軸ＩＬ、ＩＲの位置に合致させて鏡筒２１１を本体部２０ａに取り付けることができる。
【００５６】
（第２実施形態）
次に本発明の第２実施形態について説明する。
【００５７】
第２実施形態は、第１実施形態で説明した光軸間距離変更機構を中間鏡筒に採用したものである。中間鏡筒は顕微鏡の本体部と鏡筒との間に挟んで使用する付属品であり、例えばアイレベルを変更するためのアイレベライザ、光路を観察光路と撮影光路に振り分けるためのビームスプリッタ等が存在する。第２実施形態ではビームスプリッタを例に説明する。
【００５８】
図８（ａ）は、本発明の第２実施形態に係る中間鏡筒と、この中間鏡筒を取り付けた平行実体顕微鏡の全体の構成を示す模式図である。
【００５９】
中間鏡筒４１１は実体顕微鏡１０の本体部１０ａと鏡筒３１１との間に挟まれて配置されている。中間鏡筒４１１は、左の光路が設けられた左の筒部３２１Ｌと、右の光路が設けられた右の筒部３２１Ｒとを備えている。一方の筒部（本実施形態では３２１Ｒ）の光路中にはハーフミラー６９が設けられ、変倍レンズ５Ｒからの光を分割している。分割された光はレンズ７１とミラー７３を介してビームスプリッタに取り付けられた例えば撮像装置（図示省略）に入射し、撮像される。
【００６０】
図８（ａ）に示す顕微鏡１０の本体部１０ａの光軸間距離はＤｓ１であり、これに使用する中間鏡筒の光軸間距離Ｄｃ１は、Ｄｃ１＝Ｄｓ１にする必要がある。図８（ｂ）に示す顕微鏡２０の本体部２０ａの光軸間距離はＤｓ２である。この顕微鏡２０は対物レンズ１０３およびズーム光学系１０５Ｌ、１０５Ｒの径が図８（ａ）の顕微鏡１０よりも大きい。よって、顕微鏡２０は顕微鏡１０より開口数が大きい。このため、顕微鏡２０の本体部２０ａの光軸間距離Ｄｓ２は、顕微鏡１０の本体部１０ａの光軸間距離Ｄｓ１よりも大きく設定されている。この顕微鏡２０に使用する中間鏡筒４１１の光軸間距離Ｄｃ２は、Ｄｃ２＝Ｄｓ２にする必要がある。
【００６１】
第２実施形態の中間鏡筒４１１は、図８（ａ）および図８（ｂ）に示すように、光軸間距離をＤｃ１或いはＤｃ２に変更する光軸間距離変更機構１１７が組み込まれている。図８（ａ）に示すように、本体部１０ａの光軸間距離がＤｓ１の顕微鏡１０に取り付ける時は、中間鏡筒４１１の光軸間距離をＤｃ１に調節して使用する。この中間鏡筒４１１を、図８（ｂ）に示すように、光軸間距離変更機構１１７を調節して光軸間距離をＤｃ２とすることで、本体部２０ａの光軸間距離がＤｓ２の顕微鏡２０に使用することができる。
【００６２】
第２実施形態に係る光軸間距離変更機構１１７は、上記各実施例と同様の構成を用いることができる。すなわち、第１実施例と同様に、筒部３２１Ｌ、３２１Ｒが筐体の内側の溝部を左右に移動するようにして光軸間距離を変更し、クランプ機構で筒部３２１Ｌ、３２１Ｒを固定する構成である。また、第２実施例と同様に、筐体は設けずに筒部３２１Ｌ、３２１Ｒを左右に移動させ、クランプ機構で筒部３２１Ｌ、３２１Ｒを固定する構成とすることもできる。さらに、第３実施例のように、ヒンジ部で筒部３２１Ｌ、３２１Ｒを連結し、筒部３２１Ｌ、３２１Ｒを回動させる構成とすることもできる。
【００６３】
また、中間鏡筒４１１には鏡筒が取り付けられるので、筒部３２１Ｌ、３２１Ｒの上面にクランプ機構のクランプネジが突出しないようにするため、筒部３２１Ｌ、３２１Ｒを左右方向に移動する機構および変更後に筒部３２１Ｌ、３２１Ｒの位置を固定するロック機構を例えば次のような機構とすることもできる。すなわち、中間鏡筒４１１の何れかの側面に、該側面に対して垂直方向に突出する回転つまみ部を設け、回転つまみを回動させてこの回転運動を直線運動に変換するラックアンドピニオン式のギヤ機構を設け、ラック軸の直線運動によって左右の筒部３２１Ｌ、３２１Ｒを左右方向に移動させてもよい。この場合、ロック機構は回転つまみの回動を規制する機構とすることもできる。
【００６４】
中間鏡筒４１１の上面には鏡筒取り付け部が形成されている。本実施形態に係る中間鏡筒４１１の鏡筒取り付け部は、例えば図５（ｄ）に示す鏡筒取り付け部４９を両光軸ＩＬ、ＩＲの中間で左右に分割した形状である。このような構成とすることで、中間鏡筒４１１には上記各実施例に係る鏡筒を取り付けることが可能となる。
【００６５】
以上で本発明の実施形態についての説明を終えるが、本発明の構成は上記実施形態、実施例に限定されるものではなく、適宜変更が可能である。
【符号の説明】
【００６６】
１  鏡筒
３  対物レンズ
５  ズーム光学系
７  第２対物レンズ
９  接眼レンズ
１０、２０  顕微鏡
１０ａ、２０ａ  本体部
１１  鏡筒
１３  像面
１５  試料
１７  光軸間距離変更機構
１９  筐体
２１  筒部
２３  保持部材
２５  孔
２７  円筒部
２９  保持部材
３１  孔
３３  ミラーまたはプリズム
３５、３７  溝部
３８  クランプ機構
３９  クランプネジ
４１  長孔
４３  凸部
４５  丸アリ
４９  鏡筒取り付け部
５１  凹部
５３  孔
５５  突出部
５７  アリ溝
５９  ネジ孔
６１、６３  クランプネジ
６５  ワッシャ
６６  クランプ機構
６７  鏡筒取り付け部
６９  ハーフミラー
１１１  鏡筒
１１７  光軸間距離変更機構
１２１  筒部
１４３  凸部
１４５  丸アリ
２１１  鏡筒
２２１  筒部
２２３  連結部
２２７  ヒンジ部
３１１  鏡筒
３２１  筒部
４１１  中間鏡筒
【図１】
2010160342.tif 000003
【図２】
2010160342.tif 000004
【図３】
2010160342.tif 000005
【図４】
2010160342.tif 000006
【図５】
2010160342.tif 000007
【図６】
2010160342.tif 000008
【図７】
2010160342.tif 000009
【図８】
2010160342.tif 000010